(57)【要約】【課題】日中および夜間のいずれにも自動車や歩行者に対して効果的に気を引かせ得るように電光手段を用い、該電光手段の効果を高めるべく比較的に大きな表示面を確保しながらも運搬時には小型にすることができる電光表示装置を提供すること。【解決手段】表示板本体１１が、扇形の表示面１１ａを備える２つの表示板１２ａ，１２ｂの側縁部１５どうしをヒンジ１６で連結して形成されていて、表示板どうしが重なるように折り畳み可能であり、各表示板には複数の発光装置２０が取り付けられ、各表示板に取り付けられたコントローラ２５ａ，２５ｂが、各発光装置２０の点灯と消灯とを制御する。表示板１２ａ，１２ｂは、扇形の底板１７ａとその周囲縁部から僅かに立ち上がった周壁部１７ｂとにより内側に凹部１７ｃを形成したケース本体１７を備え、板状のカバー１８が凹部１７ｃを覆うように取り付けられている。【選択図】図１
2007219983.tif 000002
【特許請求の範囲】
【請求項１】
表示面を備える少なくとも２つの表示板の側縁部どうしをヒンジで連結してなる表示板本体と、前記各表示板に取り付けられた複数の発光装置と、前記表示板本体に取り付けられたコントローラとを含み、
前記表示板本体は、前記ヒンジにより前記表示板どうしが重なるように折り畳み可能であり、前記コントローラが、前記各表示板に取り付けられた複数の前記発光装置の点灯と消灯とを制御することを特徴とする電光表示装置。
【請求項２】
前記表示板の前記表示面が扇形状にされ、複数の前記表示板がその円弧状端縁部から該円弧状端縁部を描く仮想の中心部の方向へ延びる前記側縁部どうしが前記ヒンジで連結され、前記各発光装置が、前記表示板の前記円弧状端縁部側から前記中心部の方向へ向かって延びるように取り付けられている請求項１に記載の電光表示装置。
【請求項３】
前記表示板が、扇形状の底板および該底板の周囲縁部から僅かに立ち上がった周壁部により内側に凹部を形成したケース本体と、該ケース本体の前記凹部を覆って前記表示面を形成する板状のカバーとから構成され、前記カバーが透光性の材料で形成され、前記各発光装置が前記ケース本体の前記凹部に固定されている請求項１又は２に記載の電光表示装置。
【請求項４】
前記表示板に複数の風通し孔が形成されている請求項１〜３のいずれかに記載の電光表示装置。
【請求項５】
前記風通し孔が、前記ケース本体の前記底板に固定された隣接する前記発光装置どうしの間隔部に形成され、前記ケース本体の前記凹部を覆う前記カバーには前記風通し孔の形成領域に対応する部分に切り欠き部が形成されている請求項４に記載の電光表示装置。
【発明の詳細な説明】
【技術分野】
【０００１】
本発明は、電光表示装置に関し、さらに詳細には屋外又は屋内において自動車や人に対して走行方向又は歩行方向の変更を知らせて誘導し、或いは障害物の存在などを知らせる電光表示装置に関する。
【背景技術】
【０００２】
例えば、道路の新設や補修、上下水道の新設や補修、或いは電気又は通信ケーブルの敷設などの工事では、道路を走行する自動車に障害物の存在を知らせ、或いは走行方向の変更を知らせるため、特許文献１或いは特許文献２に開示されているような交通誘導表示装置を道路上に設置している。特に、夜間では、走行する自動車の運転者に比較的に遠方から工事箇所の存在を確実に知らせる必要があるため、電光手段を取り付けた交通誘導表示装置が使用されていることも知られている。
【０００３】
特許文献１に開示されている自動交通誘導装置は、腕部を揺動自在にした人間模型の腕部に旗を持たせ、この腕部を種々のパターンで動かしたり停止させたりすることで停止の予告動作や指示（命令）動作を行わせるように制御するものである。また、特許文献２に開示された交通誘導装置及び交通誘導方法は、人間模型である誘導人形に表示部を取り付けて誘導対象（例えば走行している自動車など）に対して「進め」又は「止まれ」などを含む種々の交通誘導情報を表示すると共に、これによる交通の状態を監視カメラで撮影し、監視カメラからの交通状態情報に基づいて誘導人形の表示部に適宜交通誘導情報を表示するようにしたものである。
【０００４】
【特許文献１】特開平７−１５２９９４方向法
【特許文献２】特開２００２−７４５８６号公報
【発明の開示】
【発明が解決しようとする課題】
【０００５】
しかしながら、特許文献１に開示された自動交通誘導装置では、人間模型の腕部を揺動させる機構部として複数の駆動装置を用い、これら駆動装置からの動力を各種の歯車を利用して伝達する機械式構成であるために複雑で、従ってかなりの重量があり、この自動交通誘導装置を別な工事現場に移動したり、そこで設置したりする作業が非常に大変であるという問題があった。また、特許文献２に開示された交通誘導装置及び交通誘導方法では、表示部を取り付けた誘導人形の他に、この誘導人形の近くに監視カメラも設置しなければならないため、全体の装置が大がかりであり、その結果、特許文献１に開示された自動交通誘導装置と同様にかなりの大きさと重さがあり、この自動交通誘導装置を別な工事現場に移動したり、またそこで設置したりする作業が非常に大変であるという問題があった。
【０００６】
本発明の目的は、日中および夜間のいずれにも自動車や歩行者に対して効果的に気を引かせることができるように電光手段を用いると共に、該電光手段の効果を高めるために比較的に大きな表示面を確保しながらも運搬時には折り畳んで小型にすることができる電光表示装置を提供することにある。
【課題を解決するための手段】
【０００７】
本発明の電光表示装置は、前述した技術的課題を解決するために以下のように構成されている。すなわち、本発明の電光表示装置は、表示面を備える少なくとも２つの表示板の側縁部どうしをヒンジで連結してなる表示板本体と、前記各表示板に取り付けられた複数の発光装置と、前記表示板本体に取り付けられたコントローラとを含み、前記表示板本体は、前記ヒンジにより前記表示板どうしが重なるように折り畳み可能であり、前記コントローラが、前記各表示板に取り付けられた複数の前記発光装置の点灯と消灯とを制御することを特徴とする。
【０００８】
本発明の電光表示装置は、前述した必須の構成要素からなるが、本発明の一実施形態として、前記表示板の前記表示面が扇形状にされ、複数の前記表示板がその円弧状端縁部から該円弧状端縁部を描く仮想の中心部の方向へ延びる前記側縁部どうしが前記ヒンジで連結され、前記各発光装置が、前記表示板の前記円弧状端縁部側から前記中心部の方向へ向かって延びるように取り付けられている。
【０００９】
また、本発明の電光表示装置における他の実施形態としては、前記表示板が、扇形状の底板および該底板の周囲縁部から僅かに立ち上がった周壁部により内側に凹部を形成したケース本体と、該ケース本体の前記凹部を覆って前記表示面を形成する板状のカバーとから構成され、前記カバーが透光性の材料で形成され、前記各発光装置が前記ケース本体の前記凹部に固定されている。
【００１０】
また、本発明の電光表示装置における他の実施形態としては、前記表示板に複数の風通し孔が形成されている。この風通し孔については、前記ケース本体の前記底板に固定された隣接する前記発光装置どうしの間隔部に形成されることが好ましく、この場合、前記ケース本体の前記凹部を覆う前記カバーに、前記風通し孔の形成領域に対応する部分に切り欠き部を形成することが好ましい。
【発明の効果】
【００１１】
本発明の電光表示装置によれば、表示板本体が複数の表示板をヒンジで連結して折り畳み可能に構成されているので、この電光表示装置を移動する時には表示板本体をヒンジで折り畳んで表示板どうしの表示面を重ね合わせて全体の大きさを小さくすることができる。その結果、この電光表示装置の撤去、運搬或いは設置が非常に容易となり、そのための労力を大幅に軽減することができる。
【００１２】
また、本発明の電光表示装置では、各表示板が扇形に形成され、各発光装置が、扇形の前記表示板における円弧状端縁部側から該円弧状端縁部を描く仮想の中心部の方向へ向かって放射状に延びるように配置されているので、発光装置の点灯と消灯とが各発光装置の配列順に連続的に行われるとき、比較的に小さな表示面積でも自動車の運転者や通行人に対して有効な表示効果を与えることができ、注意力を惹起させることができる。
【００１３】
また、本発明の電光表示装置によれば、各表示板が、扇形の底板および該底板の周囲縁部から僅かに立ち上がった周壁部により内側に凹部を形成したケース本体と、該ケース本体の前記凹部を覆って表示面を形成する板状のカバーとから構成され、前記カバーが透光性の材料で形成され、前記各発光装置がケース本体の凹部に固定されているので、構造が非常に単純であり、その製造や組み立てが容易である。
【００１４】
さらに、本発明の電光表示装置によれば、表示板本体に複数の風通し孔が形成されているので、この電光表示装置を屋外に設置した場合でも強風による転倒などが起こり難い。さらに、この風通し孔は、ケース本体の底板に固定された隣接する発光装置どうしの間隔部に形成され、カバーには、風通し孔の形成領域に対応する部分に切り欠き部を形成すると構造を単純にできることから表示板本体の製造が容易であり、かつ風も効果的に通過可能である。
【発明を実施するための最良の形態】
【００１５】
以下、本発明の電光表示装置を添付の図に示された好適な実施形態についてさらに説明する。図１は、本発明の一実施形態に係る電光表示装置１０を示す正面図、図２は電光表示装置１０の背面図である。この電光表示装置１０は、扇形の表示板本体１１を備え、この表示板本体１１は、扇形をした２つの表示板１２ａ，１２ｂに分割されており、各表示板１２ａ，１２ｂは円弧状の端縁部１３から該円弧状端縁部１３を描く仮想の中心部１４（扇の要に相当する部分）の方向へ延びる放射状の側縁部１５に取り付けられたヒンジ１６により折り畳み可能に連結されている。各表示板１２ａ，１２ｂは、同一の構成であり、その一方のみを示す図５および図６を参照してさらに具体的に説明すると、表示板１２ａは、扇形をしたケース本体１７とこれに取り付けられる板状のカバー１８とから構成されている。ケース本体１７とカバー１８のいずれも合成樹脂材料から形成することが好ましく、特に、カバー１８は、透光性の材料で形成されている必要がある。
【００１６】
ケース本体１７は、扇形の底板１７ａと、その周囲縁部から僅かに立ち上がった周壁部１７ｂとで形成され、これによりケース本体１７は、周壁部１７ｂの内側に凹部１７ｃを形成している。カバー１８は、ケース本体１７の底板１７ａと表面の形状及び大きさが同一のもので、凹部１７ｃを覆うように周壁部１７ｂ上に密着して接合され、表示板１２ａ，１２ｂの表示面１１ａ（図１を参照）を形成している。この構成から明らかなように、表示板１２ａ，１２ｂは、扇形をした表示面１１ａを備える薄型のケースであり、表示板本体１１は、これら２つのケースをヒンジ１６で折り畳み可能に連結することで構成されている。ケース本体１７の内側、即ち凹部１７ｃには、前述した仮想の中心部１４側から円弧状端縁部１３の方向へ延びる３つの発光装置設置部１９が周方向に等角度で形成されている。発光装置２０は、これら発光装置設置部１９に取り付けられて表示板本体１１の内部に納められる。
【００１７】
ところで、表示板本体１１の内部に収納される発光装置２０は、図７および図８に示されるように第１発光部２１と、第２発光部２２とから構成されている。第１発光部２１は、細長い帯状体からなる基板２１ａを備え、該基板２１ａの表面には、その長手方向に延びる側縁部の各側にそれぞれ１０個の発光ダイオード（ＬＥＤ）２１ｂがほぼ等間隔で取り付けられ、また、裏面には、各発光ダイオード２１ｂに通電するためのプリント配線２１ｃが形成されている。他方、第２発光部２２は、第１発光部２１の基板２１ａの幅寸法より大きな直径の円板からなる基板２２ａを備え、その表面には周縁部に沿った第１環状位置上とこれと同心でその内側の第２環状位置上とにそれぞれ発光ダイオード（ＬＥＤ）２２ｂが周方向に等間隔に取り付けられ、また、裏面には、各発光ダイオード２２ｂに通電するためのプリント配線２２ｃが形成されている。第１発光部２１と第２発光部２２における各基板２１ａ，２２ａには、これらをケース本体１７の底板１７ａに固定するためのねじ挿通孔２３が形成されている。
【００１８】
このような発光装置２０を取り付ける各発光装置設置部１９は、図５に示されるように発光装置２０の第１発光部２１を取り付ける第１設置部１９ａと、発光装置２０の第２発光部２２を取り付ける第２設置部１９ｂとから構成されている。帯状の第１発光部２１を取り付ける第１設置部１９ａは、周壁部１７ｂと同様な高さで底板１７ａから立ち上がった２つの仕切り壁１７ｄ，１７ｅで画成された溝部で形成されている。具体的に説明すると、各仕切り壁１７ｄ，１７ｅは、扇形の底板１７ａにおいて仮想の中心部１４側から円弧状端縁部１３の方向へ向かいかつ相互に間隔を開けて並行に延びている。第１発光部２１は、これら２つの仕切り壁１７ｄ，１７ｅ間に形成された溝部に納められ、基板２１ａのねじ挿通孔２３にビスを挿入して底板１７ａのねじ孔に螺合することにより固定される。
【００１９】
第１設置部１９ａの円弧状端縁部１３側には第２設置部１９ｂが形成されている。第２設置部１９ｂは、底板１７ａから立ち上がったＬ字型の仕切り壁１７ｆ，１７ｇと周壁部１７ｂとで囲まれた矩形状の溝部により構成されている。すなわち、Ｌ字型の仕切り壁１７ｆ，１７ｇのそれぞれ一端部は、仕切り壁１７ｄ，１７ｅの円弧状端縁部１３側における端部の側面に連接し、他端部は、周壁部１７ｂの内面に連接することで矩形状の溝部を形成している。従って、第１設置部１９ａを構成している細長い溝部と第２設置部１９ｂを構成している矩形状の溝部とは連通している。第２発光部２２は、基板２２ａが第２発光部２１の基板２１ａの端縁に接するようにこの第２設置部１９ｂに納められ、基板２２ａのねじ挿通孔２３にビスを挿入して底板１７ａのねじ孔に螺合することにより固定され、第１発光部２１と第２発光部２２との各基板２１ａ，２２ａに形成された端子どうしをリード線２４で接続して第２発光部２２への給電が図られる。リード線２４で接続される各端子は、各基板２１ａ，２２ａを貫通するスルーホールに取り付けら、各基板２１ａ，２２ａにおける裏面のプリント配線２１ｃ，２２ｃに接続されている。
【００２０】
表示板本体１１の内部に取り付けられた複数の発光装置２０は、各表示板１２ａ，１２ｂごとに取り付けられた扇形のコントローラ２５ａ，２５ｂによりその点灯と消灯とが制御される。コントローラ２５ａ，２５ｂは、各表示板１２ａ，１２ｂの仮想中心部１４側に取り付けられており、全体としても扇形の形状を維持している。また、各コントローラ２５ａ，２５ｂは、それらが各表示板１２ａ，１２ｂの仮想中心部１４側に取り付けられるとき、コントローラ２５ａ，２５ｂの電気回路がケース本体１７に取り付けられた各発光装置２０の第１発光部２１における基板２１ａの裏面に形成されているプリント配線２２ｃに電気的に接続される。一方の表示板１２ａに取り付けられるコントローラ２５ａは、その表示板１２ａの３つの発光装置２０の点灯と消灯とを配列順に連続的に行うように制御し、同様に、他方の表示板１２ｂに取り付けられるコントローラ２５ｂは、その表示板１２ｂの３つの発光装置２０の点灯と消灯とを配列順に連続的に行うように制御する。また、コントローラ２５ａ，２５ｂのいずれか一方には、表示板１２ａにおける３つの発光装置２０が配列順に点灯と消灯とを繰り返した後、引き続いて表示板１２ｂにおける３つの発光装置２０の点灯と消灯とを配列順に連続的に制御する制御回路部も設けられており、そのために２つのコントローラ２５ａ，２５ｂは、線２６により電気的に接続されている。
【００２１】
この電光表示装置１０は、屋外に設置して使用されるとき、扇形の表示面１１ａが地面にほぼ直交するように支柱などに取り付けられるので、表示面１１ａに風圧を受け易くなる。そのため、比較的に強い風が吹くと転倒の恐れがあるので、各表示板１２ａ，１２ｂにおけるケース本体１７の底板１７ａには、所定の領域に多数の風通し孔２７ａが形成されている。多数の風通し孔２７ａが形成される領域（風通し孔形成領域２７）は、図１および図５に示されるようにケース本体１７の底板１７ａに固定された隣接する発光装置２０どうしの間隔部に形成され、底板１７ａから立ち上がった仕切り壁２７ｂにより囲まれている。この場合、ケース本体１７の凹部１７ｃを覆うカバー１８には、風通し孔形成領域２７に対応する部分に切り欠き部２８が形成されている。このように底板１７ａに形成された風通し孔形成領域２７に対応したカバー１８の部分に切り欠き部即ち窓部２８を形成したので、表示板本体１１における風圧緩和手段のための構造を単純化でき、表示板本体１１の製造や組み立てが容易にできる。
【００２２】
このように構成された電光表示装置１０は、その運搬時や保管時などの不使用状態のとき、２つの表示板１２ａ，１２ｂの表示面１１ａどうしを重ね合わせるようにヒンジ１６で折り畳まれている。このような折り畳み状態から電光表示装置１０を使用するためには、折り畳まれている表示板１２ａ，１２ｂの一方を他方に対しヒンジ１６で旋回させ、それぞれの表示面１１ａが同一の平面上に位置して大きな扇形の表示面を形成するように開く。その後、開かれた各表示板１２ａ，１２ｂを固定するために電光表示装置１０の仮想中心部１４側における裏面に金属製の取付けプレート２９が密着して配置される。この取付けプレート２９は、該プレート２９と表示板本体１１を貫通するボルト挿通孔にボルト３０ａを通し、このボルト３０ａにナット３０ｂを螺合して電光表示装置１０に固定される。
【００２３】
この取付けプレート２９には、図１および図２に仮想線で示されるように金属製の角パイプからなる支柱３１に電光表示装置１０を取り付けるためのブラケット３２が取り付けられている。ブラケット３２は、取付けプレート２９に対してボルトやナットを用いて堅固に固定される。その際、取付けプレート２９には、ブラケット３２の取付け位置や取付け向きを適宜変更し得るように複数のボルト挿通孔が形成されており、電光表示装置１０の使用目的に応じてブラケット３２の取付けプレート２９に対する取り付け位置や取付け方向を変更することができる。
【００２４】
前述した実施の形態に係る電光表示装置１０では、表示板本体１１が、大きさの同じ扇形をした２つの表示板１２ａ，１２ｂをヒンジ１６で折り畳み可能に連結して全体としても扇形に形成されたものであったが、本発明の電光表示装置では、各表示板１２ａ，１２ｂの形状が扇形である必要はなく、三角形や四角形、或いは円形などでもよく、また各表示板の大きさが同じであっても又は異なっていてもよい。さらに、表示板ごとに異なる形状にしてもよい。
【００２５】
また、前述した実施の形態に係る電光表示装置１０では、扇形をした表示板本体の内部に複数の発光装置を、円弧状端縁部１３から該円弧状端縁部１３を描く仮想の中心部１４の方向へ延びる細長いものであり、これをほぼ並列に配列したものであったが、発光装置の形状や配列は、この電光表示装置１０の使用目的に応じて様々に変更することができる。
【００２６】
前述した実施の形態に係る電光表示装置１０によれば、表示板本体１１が複数の表示板１２ａ，１２ｂをヒンジ１６で連結して折り畳み可能に構成されているので、この電光表示装置１０を移動する時には表示板本体１１をヒンジで折り畳んで表示板１２ａ，１２ｂどうしを重ね合わせて全体の大きさを小さくすることができる。その結果、この電光表示装置１０の撤去、運搬或いは設置が非常に容易となり、そのための労力を大幅に軽減することができる。
【００２７】
また、前述した実施の形態に係る電光表示装置１０では、表示板１２ａ，１２ｂが扇形に形成され、帯状に形成された各発光装置が、表示板１２ａ，１２ｂにおける円弧状端縁部１３側から該円弧状端縁部１３を描く仮想の中心部１４の方向へ向かって放射状に延びるように配置されているので、発光装置２０の点灯と消灯とが各発光装置２０の配列順に連続的に行われるとき、比較的に小さな表示面積でも自動車の運転者や通行人に対して有効な表示効果を与えることができ、確実な誘導を行うことができる。
【００２８】
さらに、この実施形態の電光表示装置１０では、表示板１２ａ，１２ｂが、扇形の底板１７ａおよび該底板１７ａの周囲縁部から僅かに立ち上がった周壁部１７ｂにより内側に凹部１７ｃを形成したケース本体１７と、このケース本体１７の凹部１７ｃを覆って表示面１１ａを形成する板状のカバー１８とから構成され、カバー１８が透光性の材料で形成され、各発光装置２０がケース本体１７の凹部１７ｃに固定されているので、構造が非常に単純であり、その製造や組み立てが容易である。
【００２９】
さらにまた、この実施形態に係る電光表示装置１０では、表示板１２ａ，１２ｂに複数の風通し孔１７ａが形成されているので、この電光表示装置１０を屋外に設置した場合でも強風による転倒などが起こり難い。加えて、この風通し孔１７を形成する領域２７が仕切り壁により囲まれ、この仕切り壁を含めて発光装置２０を設置する発光装置設置部を形成するための仕切り壁が補強リブの機能も兼用するので、ケース本体１７の凹部１７ｃを覆って表示面１１ａを形成すべく周壁部１７ｂ上端に密着して取り付けられるカバー１８やケース本体１７の強度が上がり、転倒などによる破損から保護することができる。
【００３０】
同時に、カバー１８には、風通し孔２７ａの形成領域２７に対応する部分に切り欠き部、即ち窓を形成したので、風圧緩和手段としての構造を単純にできることから表示板本体の製造が容易であり、かつ風も効果的に通過可能となる。
【００３１】
本発明の電光表示装置は、主に道路上に設置して、走行する自動車の運転者に対して工事などによる走行車線の変更や障害物の存在などを知らせるために使用されるが、本発明の電光表示装置は、このような用途のみに限定されるものではなく、例えば屋外或いは屋内を問わず、イベント会場などにおいて来場者の誘導や整理、或いは来場者に対する注意喚起などにも使用することができ、その場合にはその使用目的に応じて表示板本体内部の発光装置の形状を変更することが好ましい。
【図面の簡単な説明】
【００３２】
【図１】本発明の一実施形態に係る電光表示装置を示す正面図である。
【図２】図１に示される電光表示装置の背面図である。
【図３】図１に示される電光表示装置の上面図である。
【図４】図１に示される電光表示装置の右側面図である。
【図５】電光表示装置の構成要素である一方の表示板を構成するケース本体に発光装置を配置して示す平面図である。
【図６】図５に示されるケース本体に重ねて凹部を塞ぎ、表示面を形成する板状のカバーを示す平面図である。
【図７】表示板本体内に取り付けられる発光装置を示す平面図である。
【図８】図７に示される発光装置の側面図である。
【符号の説明】
【００３３】
１０    電光表示装置
１１    表示板本体
１１ａ    表示面
１２ａ，１２ｂ    表示板
１３    円弧状端縁部
１４    仮想の中心部
１５    側縁部
１６    ヒンジ
１７    ケース本体
１７ａ    底板
１７ｂ    周壁部
１７ｃ    凹部
１７ｄ，１７ｅ，１７ｆ，１７ｇ    仕切り壁
１８    カバー
１９    発光装置設置部
１９ａ    第１設置部
１９ｂ    第２設置部
２０    発光装置
２１    第１発光部
２２    第２発光部
２１ａ，２２ａ    基板
２１ｂ，２２ｂ    発光ダイオード（ＬＥＤ）
２５ａ，２５ｂ    コントローラ
２７    風通し孔形成領域
２７ａ    風通し孔
２８    切り欠き部
【図１】
2007219983.tif 000003
【図２】
2007219983.tif 000004
【図３】
2007219983.tif 000005
【図４】
2007219983.tif 000006
【図５】
2007219983.tif 000007
【図６】
2007219983.tif 000008
【図７】
2007219983.tif 000009
【図８】
2007219983.tif 000010